(57)【要約】【課題】メンテナンスの必要性などを診断するに当たり、精度の高い診断を可能とするとともに、ユーザの使用環境を考慮して機械の故障を未然に防ぐことができる空気圧縮機を提供する。【解決手段】圧縮機構１１による圧縮時間を基に空気圧縮機１０の状態を自己診断する自己診断手段１６０と、電源電圧、温度、タンク圧、標高、湿度を検出する環境情報検出手段２０，２１，２３，２５，２６と、を備え、前記環境情報検出手段２０，２１，２３，２５，２６は、前記自己診断手段１６０による前記自己診断の実行前に環境情報を検出する。【選択図】図４
2015017557.tif 000002
【特許請求の範囲】
【請求項１】
圧縮空気を生成して貯留可能な空気圧縮機であって、
圧縮空気を生成するためのシリンダを備えた圧縮機構と、
前記圧縮機構を駆動させるモータと、
前記圧縮機構によって生成した圧縮空気を貯留するためのタンクと、
前記圧縮機構による圧縮時間、前記モータの消費電流値、前記モータの回転数の少なくともいずれかの検出結果を基に空気圧縮機の状態を自己診断する自己診断手段と、
電源電圧、温度、タンク圧、標高、湿度の少なくともいずれかの環境情報を検出する環境情報検出手段と、
を備え、
前記環境情報検出手段は、前記自己診断手段による前記自己診断の実行前に環境情報を検出することを特徴とする、空気圧縮機。
【請求項２】
前記自己診断手段は、前記環境情報検出手段により検出された環境情報が所定の条件を満たしていないと判断した場合には、環境情報が所定の条件を満たしていないことを報知することを特徴とする、請求項１記載の空気圧縮機。
【請求項３】
前記自己診断手段は、前記環境情報検出手段により検出された環境情報が所定の条件を満たしていないと判断した場合には、自己診断を実行しないことを特徴とする、請求項１又は２記載の空気圧縮機。
【発明の詳細な説明】
【技術分野】
【０００１】
この発明は、空気圧縮機に関し、特に、メンテナンスの必要性などを診断できることを特徴とする空気圧縮機に関する。
【背景技術】
【０００２】
空気圧縮機のメンテナンスの必要性をユーザに報せる方法として、例えば特許文献１には、空気圧縮機の稼動時間を計測し、稼動時間が所定時間に達したらメンテナンスの時期を報せるようにする方法が開示されている。
また、特許文献２には、電圧や圧縮空気の温度などを計測し、この計測結果に基づいて機械の故障をユーザに報せる方法が開示されている。
【先行技術文献】
【特許文献】
【０００３】
【特許文献１】特許２８５８８２９号公報
【特許文献２】特開平５−１５７０５５号公報
【発明の概要】
【発明が解決しようとする課題】
【０００４】
しかし、上記した特許文献１記載の方法では、ユーザの使用環境が不明であるため、画一的に稼働時間でメンテナンス時期を判断すると、部品の消耗や性能低下の予測が不確実になるという問題があった。例えば、過酷な環境で使用している場合には、稼働時間が短くてもメンテナンスが早期に必要となる。このため、メンテナンス時期を報せるための稼働時間に達していない状態で性能低下が現れたとしても、その性能低下を早期に検出して報せることができないという問題があった。そして、この問題を解消するためにメンテナンス時期を報せるタイミングを早めてしまうと、メンテナンス時期を報せるタイミングが早過ぎて不要なメンテナンスが発生してしまうおそれがあった。
【０００５】
また、上記した特許文献２記載の方法では、機械の故障を検出することはできるが、ユーザの使用環境を考慮して正確に機械の故障を判定することはできなかった。このため、上記した特許文献１記載の方法と同様に、機械故障の判定が不確実になるという問題があった。
【０００６】
このように、従来の方法では、メンテナンス時期を報せるタイミングが早過ぎて不要なメンテナンスが発生したり、メンテナンス時期を報せるタイミングが遅過ぎるために異常状態又は故障状態まで使い続けてしまうことで機械の使用ができなくなって作業が滞る上に修理コストが嵩んだり、といった問題があった。
【０００７】
そこで、本発明は、メンテナンスの必要性などを診断するに当たり、精度の高い診断を可能とするとともに、ユーザの使用環境を考慮して機械の故障を未然に防ぐことができる空気圧縮機を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
すなわち、請求項１に記載の空気圧縮機は、圧縮空気を生成して貯留可能な空気圧縮機であって、圧縮空気を生成するためのシリンダを備えた圧縮機構と、前記圧縮機構を駆動させるモータと、前記圧縮機構によって生成した圧縮空気を貯留するためのタンクと、前記圧縮機構による圧縮時間、前記モータの消費電流値、前記モータの回転数の少なくともいずれかの検出結果を基に空気圧縮機の状態を自己診断する自己診断手段と、電源電圧、温度、タンク圧、標高、湿度の少なくともいずれかの環境情報を検出する環境情報検出手段と、を備え、前記環境情報検出手段は、前記自己診断手段による前記自己診断の実行前に環境情報を検出することを特徴とする。
【００１０】
（請求項２）
請求項２に記載の発明は、上記した請求項１記載の発明の特徴点に加え、以下の点を特徴とする。
すなわち、前記自己診断手段は、前記環境情報検出手段により検出された環境情報が所定の条件を満たしていないと判断した場合には、環境情報が所定の条件を満たしていないことを報知することを特徴とする。
【００１１】
（請求項３）
請求項３に記載の発明は、上記した請求項１又は２記載の発明の特徴点に加え、以下の点を特徴とする。
すなわち、前記自己診断手段は、前記環境情報検出手段により検出された環境情報が所定の条件を満たしていないと判断した場合には、自己診断を実行しないことを特徴とする。
【発明の効果】
【００１２】
請求項１に記載の発明は上記の通りであり、圧縮機構による圧縮時間、モータの消費電流値、モータの回転数の少なくともいずれかの検出結果を基に空気圧縮機の状態を自己診断する自己診断手段と、電源電圧、温度、タンク圧、標高、湿度の少なくともいずれかの環境情報を検出する環境情報検出手段と、を備え、前記環境情報検出手段は、前記自己診断手段による前記自己診断の実行前に環境情報を検出する。すなわち、自己診断によってメンテナンスの必要性などを診断するに当たり、圧縮性能に影響のある環境情報を事前に検出するため、環境情報に応じて正確に自己診断を行うことができる。
【００１３】
例えば、環境情報として電源電圧を使用した場合、電源電圧が低い場合には圧縮性能が低下していても機械の故障や部品の損耗によるものではない。よって、このような場合には、圧縮性能の低下が機械の故障や部品の損耗とは別の理由で発生していることが判断できるので、余計なメンテナンスの報知を省略することができる。
【００１４】
このような構成によれば、メンテナンスの必要性などを診断するに当たり、精度の高い診断が可能となるので、適切にメンテナンス時期を報知することができる。例えば、メンテナンス時期を報せるタイミングが早過ぎて不要なメンテナンスが発生したり、メンテナンス時期を報せるタイミングが遅過ぎるために異常状態又は故障状態まで使い続けてしまうことで機械の使用ができなくなって作業が滞る上に修理コストが嵩んだり、といった問題が発生しない。
【００１５】
また、環境情報を検出することで、環境情報に問題があれば、最適な環境での使用をユーザに促すことができる。例えば、極端な性能低下を誘発する延長コードの多用や低温環境等の環境情報を検出してユーザに報せることも可能となるので、機械の故障や部品の損耗を未然に防ぐことができる。
【００１６】
また、請求項２に記載の発明は上記の通りであり、前記自己診断手段は、前記環境情報検出手段により検出された環境情報が所定の条件を満たしていないと判断した場合には、環境情報が所定の条件を満たしていないことを報知する。すなわち、環境情報が所定の条件を満たしていない場合（例えば、電源電圧が低過ぎるなど）には、圧縮性能の低下が見込まれるため、自己診断が不正確となるおそれがある。例えば、自己診断によって圧縮性能の低下が検出されても、その原因が環境条件のみによるものか、環境条件に加えて機械の故障や部品の損耗が発生しているためなのかの判断ができない場合がある。このような状態で自己診断結果を報知しても、ユーザにとって有益でない可能性があるため、環境情報が所定の条件を満たしていないと判断した場合には環境情報が所定の条件を満たしていないことを報知する。そして、環境情報が所定の条件を満たしている環境で再度自己診断を行うように促すことができる。
【００１７】
また、請求項３に記載の発明は上記の通りであり、前記自己診断手段は、前記環境情報検出手段により検出された環境情報が所定の条件を満たしていないと判断した場合には、自己診断を実行しない。すなわち、環境情報が所定の条件を満たしていない場合（例えば、電源電圧が低過ぎるなど）には、圧縮性能の低下が見込まれるため、自己診断が不正確となるおそれがある。例えば、自己診断によって圧縮性能の低下が検出されても、その原因が環境条件のみによるものか、環境条件に加えて機械の故障や部品の損耗が発生しているためなのかの判断ができない場合がある。このような状態で自己診断結果を報知しても、ユーザにとって有益でない可能性があるため、環境情報が所定の条件を満たしていないと判断した場合には自己診断を実行しない。そして、環境情報が所定の条件を満たしている環境で再度自己診断を行うように促すことができる。
【図面の簡単な説明】
【００１８】
【図１】空気圧縮機の（ａ）平面図、（ｂ）側面図である。
【図２】空気圧縮機の内部構成を示すブロック図である。
【図３】操作パネルのイメージ図である。
【図４】自己診断処理の前半のフロー図である。
【図５】自己診断処理の後半のフロー図である。
【発明を実施するための形態】
【００１９】
本実施形態に係る空気圧縮機１０は、圧縮空気を生成して貯留可能に形成されており、図１に示すように、圧縮空気を生成するためのシリンダを備えた圧縮機構１１と、前記圧縮機構１１によって生成した圧縮空気を貯留するためのタンク１４と、を備えている。
【００２０】
圧縮機構１１は、空気圧縮機１０に内蔵されたモータ１２によって駆動されるものであり、圧縮ピストンをシリンダ内で往復動させることでシリンダ内に導入された空気を圧縮するものである。このようにシリンダ内で圧縮された圧縮空気はタンク１４に送られて貯留される。貯留された圧縮空気は、エア取り出し部１３に接続された外部機器（例えば圧縮空気式の打ち込み工具）に供給されて使用される。
【００２１】
空気圧縮機１０の上面には、図１（ａ）及び図３に示すように、操作パネル１５が設けられている。この操作パネル１５は、空気圧縮機１０を操作するための各種のボタンや、空気圧縮機１０の状態を表示するためのＬＥＤ等を備えている。
【００２２】
この空気圧縮機１０の動作は、空気圧縮機１０に内蔵された制御装置１００（図２参照）によって制御される。制御装置１００は、特に図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、各種の入力装置及び出力装置を制御するように構成されている。
【００２３】
（入力装置）
制御装置１００の入力装置としては、図２に示すように、温度検出手段２０、圧力検出手段２１、電流検出手段２２、電圧検出手段２３、モータ回転数検出手段２４、電源スイッチ３０、充填モード切替スイッチ３１、運転モード切替スイッチ３２が設けられている。なお、入力装置としては、この図１に示す入力装置に限定されず、他の入力装置を備えていてもよい。
【００２４】
（温度検出手段２０）
温度検出手段２０は、制御装置１００を構成するインバータ基板の周囲温度を測定する温度検出回路である。この温度検出手段２０が測定した温度は、制御装置１００に信号として出力され、空気圧縮機１０の状態を確認するために使用される。この温度検出手段２０は、空気圧縮機１０の環境情報を検出する環境情報検出手段の１つである。
【００２５】
（圧力検出手段２１）
圧力検出手段２１は、タンク１４内の圧力を検出するためのものであり、具体的にはタンク１４内に設けられた圧力センサである。この圧力検出手段２１で計測された圧力値は、制御装置１００に信号として出力されて処理される。この圧力検出手段２１は、空気圧縮機１０の環境情報を検出する環境情報検出手段の１つである。
【００２６】
（電流検出手段２２）
電流検出手段２２は、モータ１２に供給される電流値を測定するためのものである。この電流検出手段２２で計測された電流値は、制御装置１００に信号として出力されて処理される。なお、電流検出手段２２が計測する電流値は、モータ１２の電源側（空気圧縮機１０に供給される電源）の電流値であってもよい。
【００２７】
（電圧検出手段２３）
電圧検出手段２３は、空気圧縮機１０への入力電圧を検出するためのものである。この電圧検出手段２３で計測された電圧値は、制御装置１００に信号として出力されて処理される。この電圧検出手段２３は、空気圧縮機１０の環境情報を検出する環境情報検出手段の１つである。
【００２８】
（モータ回転数検出手段２４）
モータ回転数検出手段２４は、モータ１２の回転数を検出するものであり、例えば角位置センサなどで構成される。このモータ回転数検出手段２４で計測された回転数は、制御装置１００に信号として出力されて処理される。
【００２９】
（標高検出手段２５）
標高検出手段２５は、空気圧縮機１０が設置されている標高を検出するためのものである。この標高検出手段２５で計測された標高値は、制御装置１００に信号として出力されて処理される。この標高検出手段２５は、空気圧縮機１０の環境情報を検出する環境情報検出手段の１つである。
【００３０】
（湿度検出手段２６）
湿度検出手段２６は、空気圧縮機１０が設置されている周囲の湿度を検出するためのものである。この湿度検出手段２６で計測された湿度は、制御装置１００に信号として出力されて処理される。この湿度検出手段２６は、空気圧縮機１０の環境情報を検出する環境情報検出手段の１つである。
【００３１】
（電源スイッチ３０）
電源スイッチ３０は、空気圧縮機１０を起動するためのスイッチであり、上述した操作パネル１５に配設されている。この電源スイッチ３０が押下されて空気圧縮機１０が起動すると、圧縮機構１１が作動して圧縮空気がタンク１４に貯留され、空気圧縮機１０を使用可能な状態となる。
【００３２】
（充填モード切替スイッチ３１）
充填モード切替スイッチ３１は、空気圧縮機１０の充填モードを設定するためのスイッチである。すなわち、本実施形態に係る空気圧縮機１０は、使用環境に合わせてモータ１２の回転数の制御範囲を変更可能となっており、充填モード切替スイッチ３１を押下することでモータ１２の回転数の制御範囲を設定できるようになっている。本実施形態に係る空気圧縮機１０は、充填モードとして、通常モードと、前記通常モードよりも前記モータ１２の回転数を抑制した静音モードと、前記通常モードよりも前記モータ１２の回転数を上げた急速充填モードと、を備えている。充填モード切替スイッチ３１の押下が検出されると、その押下信号は制御装置１００（後述する充填モード設定手段１４０）に出力されて処理される。
【００３３】
（運転モード切替スイッチ３２）
運転モード切替スイッチ３２は、空気圧縮機１０の運転モードを設定するためのスイッチである。すなわち、本実施形態に係る空気圧縮機１０は、使用目的に合わせて圧力制御範囲を変更可能となっており、運転モード切替スイッチ３２を押下することでこの圧力制御範囲を任意の範囲に設定できるようになっている。例えば、タンク１４内の圧力を１．１〜１．５ＭＰａとするか、２．５〜３．０ＭＰａとするか、３．２〜４．０ＭＰａとするか、３．９〜４．４ＭＰａとするか、を選択して設定できるようになっている。運転モード切替スイッチ３２の押下が検出されると、その押下信号は制御装置１００（後述する運転モード設定手段１５０）に出力されて処理される。
【００３４】
（出力装置）
制御装置１００の出力装置としては、図２に示すように、モータ１２と、電源表示ＬＥＤ３５と、充填モード表示ＬＥＤ３６と、運転モード表示ＬＥＤ３７と、吐出レベルＬＥＤ３８と、表示手段３９と、報知手段４０と、が設けられている。なお、出力装置としては、この図２に示す出力装置に限定されず、他の出力装置を備えていてもよい。
【００３５】
（モータ１２）
モータ１２は、上述したように、圧縮機構１１を駆動させて圧縮ピストンをシリンダ内で往復動させるものである。このモータ１２は、制御装置１００（後述する駆動制御手段１１０）によって駆動制御されることで、圧縮動作を開始したり停止したりするように形成されている。
【００３６】
（電源表示ＬＥＤ３５）
電源表示ＬＥＤ３５は、前述した電源スイッチ３０が押下されて空気圧縮機１０が起動している場合に点灯するものである。また、電源スイッチ３０が押下されて空気圧縮機１０がシャットダウンされている場合には消灯する。
【００３７】
（充填モード表示ＬＥＤ３６）
充填モード表示ＬＥＤ３６は、前述した充填モード切替スイッチ３１が押下されて選択された充填モードを表示するためのものである。
【００３８】
（運転モード表示ＬＥＤ３７）
運転モード表示ＬＥＤ３７は、前述した運転モード切替スイッチ３２が押下されて選択された運転モードを表示するためのものである。
【００３９】
（吐出レベルＬＥＤ３８）
吐出レベルＬＥＤ３８は、後述する自己診断手段１６０が自己診断を行った結果を表示するものであり、例えば、自己診断結果が問題ない場合には点灯し、自己診断結果に問題がある場合（吐出レベルが低下している場合）には点滅するように制御される。
【００４０】
（表示手段３９）
表示手段３９は、圧力検出手段２１が検出したタンク１４内の圧力値などを表示するためのものである。本実施形態においては、２桁の７セグメントディスプレイが用いられており、数値をデジタル表示できるようになっている。
【００４１】
なお、表示手段３９は３桁以上の７セグメントディスプレイであってもよいし、７セグメントディスプレイに限らず高画素数のディスプレイ（タッチパネル含む）であってもよい。
【００４２】
（報知手段４０）
報知手段４０は、空気圧縮機１０のエラーなどを報知する手段である。例えば、ブザーなどの聴覚表示を行う装置や、ＬＥＤなどの視覚表示を行う装置である。
【００４３】
（制御装置１００）
次に、制御装置１００について詳述する。
制御装置１００は、上記した各種装置を制御するものであり、駆動制御手段１１０、時間計測手段１２０、記憶手段１３０、充填モード設定手段１４０、運転モード設定手段１５０、自己診断手段１６０、などの各手段として機能する。
なお、制御装置１００としては、上記した各手段に限定されるものではなく、他の手段を含んでいても良い。
【００４４】
（駆動制御手段１１０）
駆動制御手段１１０は、モータ１２を制御することにより、圧縮機構１１による圧縮動作を制御するためのプログラムである。この駆動制御手段１１０は、圧力検出手段２１が検出したタンク１４内の空気圧力を参照し、タンク１４内の空気圧力が適切な圧力となるようにモータ１２の作動をオン・オフする。
【００４５】
具体的には、圧縮機構１１の駆動を開始させるためのオン圧と、圧縮機構１１の駆動を停止させるためのオフ圧とが予め決められており、駆動制御手段１１０は、圧力検出手段２１が検出したタンク１４内の空気圧力がこのオン圧またはオフ圧に到達したか否かを判定し、到達した場合にモータ１２の作動をオン・オフする。
【００４６】
このとき、オン圧及びオフ圧は、後述する運転モード設定手段１５０によって設定された運転モードによって決定される。例えば圧力制御範囲を３．２〜４．０ＭＰａとする運転モードの場合、３．２ＭＰａがオン圧となり、４．０ＭＰａがオフ圧となる。この場合、タンク１４内の圧縮空気が使用され、タンク１４内の圧力が３．２ＭＰａ（オン圧）まで低下したら、タンク１４内の圧力が４．０ＭＰａ（オフ圧）になるまでモータ１２を作動させて空気を圧縮する。この動作を繰り返すことで、タンク１４内の空気圧力が適切な圧力となるように制御する。
【００４７】
なお、圧縮動作を行う際のモータ１２を回転数は、後述する充填モード設定手段１４０によって設定された充填モードによって決定される。例えば、モータ１２の回転速度は、通常モードであれば最大２９００ｍｉｎ＾−１に制限され、静音モードであれば最大１８００ｍｉｎ＾−１に制限され、急速充填モードであれば最大３４００ｍｉｎ＾−１に制限されるように制御される。このような制御により、例えば夜間や住宅街での作業時には静音モードを使用することで騒音を抑制することができ、また、圧縮空気を早く使用したい場合などは急速充填モードを使用することで時間を短縮することができるようになっている。
【００４８】
（時間計測手段１２０）
時間計測手段１２０は、所定のタイミングからの時間を測定するための手段である。例えばＣＰＵタイマなどを使用して構成される。
【００４９】
（記憶手段１３０）
記憶手段１３０は、不揮発性のメモリを備えて構成され、プログラムやデータを記憶している。
【００５０】
（充填モード設定手段１４０）
充填モード設定手段１４０は、空気圧縮機１０の充填モードを設定するためのものである。具体的には、充填モード切替スイッチ３１の押下が検出されたときに、その押下信号を受信し、充填モードを切り替える処理を実行する。充填モード設定手段１４０によって設定された充填モードは記憶手段１３０などに記憶され、駆動制御手段１１０によるモータ１２の駆動制御に使用される。
【００５１】
（運転モード設定手段１５０）
運転モード設定手段１５０は、空気圧縮機１０の運転モードを設定するためのものである。具体的には、運転モード切替スイッチ３２の押下が検出されたときに、その押下信号を受信し、運転モードを切り替える処理を実行する。運転モード設定手段１５０によって設定された運転モードは記憶手段１３０などに記憶され、駆動制御手段１１０によるモータ１２の駆動制御に使用される。
【００５２】
（自己診断手段１６０）
自己診断手段１６０は、圧縮機構１１による圧縮時間を基に空気圧縮機の状態を自己診断するものである。この自己診断手段１６０の処理については後ほど詳述する。
【００５３】
（自己診断処理の実行フロー）
次に、本実施形態に係る自己診断処理について具体的に説明する。
本実施形態に係る空気圧縮機１０は、前述したように自己診断手段１６０を備えており、この自己診断手段１６０が自己診断を行った結果をユーザに報せることで、機械の故障や性能低下をユーザに報せることができるようになっている。また、この自己診断手段１６０は、自己診断の実行前に環境情報（電源電圧、温度、タンク圧、標高、湿度）を取得し、現在の環境が自己診断可能な環境条件であるかをチェックするようになっている。この自己診断処理について、図４及び図５のフローを参照しながら説明する。
【００５４】
まず、図４に示すステップＳ１００において、電源スイッチ３０が３秒以上長押しされたことを検出する（本実施形態においては、電源スイッチ３０が３秒以上長押しされたことを契機として自己診断処理を開始する）。なお、自己診断処理の開始は、他の操作（他のスイッチの操作など）を契機としてもよい。そして、ステップＳ１０１に進む。
【００５５】
ステップＳ１０１では、環境条件を取得する。具体的には、温度検出手段２０が検出した温度、圧力検出手段２１が検出したタンク圧、電圧検出手段２３が検出した電源電圧、標高検出手段２５が検出した標高、湿度検出手段２６が検出した湿度、のそれぞれの値を取得する。なお、本実施形態においては、電源電圧、温度、タンク圧、標高、湿度をすべて取得しているが、本発明の実施形態としてはこれに限らず、これらのうちの少なくともいずれかを取得すればよい。そして、ステップＳ１０２に進む。
【００５６】
ステップＳ１０２では、環境情報検出手段により検出された環境情報（電源電圧、温度、タンク圧、標高、湿度）が所定の条件を満たしているかがチェックされる。この所定の条件は、空気圧縮機１０の推奨使用環境を基に予め設定されている。そして、所定の条件を満たしている場合には、ステップＳ１０３へ進む。一方、所定の条件を満たしていない場合には、ステップＳ１１７（図５参照）に進む。
【００５７】
ステップＳ１１７に進んだ場合、環境条件が所定の条件を満たしていないこと（空気圧縮機１０の使用や自己診断に適していないこと）を報知手段４０によって報知し、自己診断を実行せずに処理を終了する。
【００５８】
一方、ステップＳ１０３へ進んだ場合、充填モードを自己診断用の充填モード（例えば通常モード）に移行させ、モータ１２の駆動を開始して自己診断を開始する。そして、ステップＳ１０４に進む。
【００５９】
ステップＳ１０４では、キャンセル条件を満たしたかがチェックされる。例えば、自己診断中にスイッチが操作されたり、圧縮空気が使用されたり、といったことを検出したときにキャンセル条件を満たしたと判断される。キャンセル条件を満たした場合には、ステップＳ１１６（図５参照）に進む。一方、キャンセル条件を満たしていない場合には、ステップＳ１０５に進む。
ステップＳ１１６に進んだ場合、自己診断がキャンセルされたことを報知手段４０によって報知し、ステップＳ１１４へ進む。
【００６０】
一方、ステップＳ１０５に進んだ場合、タンク圧が閾値圧に到達したかがチェックされる。閾値圧は、オン圧とオフ圧の間の値で予め設定されている。タンク圧が閾値圧に到達した場合（初回のみ）には、ステップＳ１０６へ進む。一方、タンク圧が閾値圧に到達していない場合や、タンク圧がすでに閾値圧に到達してステップＳ１０６を通過している場合には、ステップＳ１０７に進む。
【００６１】
ステップＳ１０６では、時間計測手段１２０による時間計測を開始するとともに、電圧検出手段２３による電圧測定を開始し、積算処理を開始する。すなわち、本実施形態では、閾値圧からオフ圧に到達するまでの時間を計測することで自己診断を行うこととしているので、自己診断用のデータ収集を開始する。そして、ステップＳ１０７に進む。
なお、閾値圧からオフ圧に到達する前の所定の圧力を設定して、閾値圧からこの所定の圧力に到達するまでの時間を計測してもよい。
【００６２】
ステップＳ１０７では、タンク圧がオフ圧に到達したかがチェックされる。オフ圧に到達していない場合には、ステップＳ１０４へ戻る。一方、オフ圧に到達した場合には、ステップＳ１０８に進む。
【００６３】
ステップＳ１０８では、モータ１２の駆動が停止される。また、時間計測手段１２０による時間計測や、電圧検出手段２３による電圧測定も停止される。そして、ステップＳ１０９（図５参照）に進む。
【００６４】
ステップＳ１０９では、電圧検出手段２３による電圧測定の積算結果を参照する。具体的には、タンク圧が閾値圧からオフ圧に到達するまでの間の平均電圧を算出する。そして、ステップＳ１１０に進む。
【００６５】
ステップＳ１１０では、ステップＳ１０９で算出した平均電圧が閾値電圧（例えば９０Ｖ）未満であるかがチェックされる。平均電圧が閾値電圧未満である場合には、ステップＳ１１５へ進む。一方、平均電圧が閾値電圧未満でない場合には、ステップＳ１１１に進む。
【００６６】
ステップＳ１１５に進んだ場合、環境条件が所定の条件を満たしていないこと（空気圧縮機１０の使用や自己診断に適していないこと）を報知手段４０によって報知し、ステップＳ１１４に進む。
【００６７】
一方、ステップＳ１１１に進んだ場合、時間計測手段１２０の計測結果、すなわち、タンク圧が閾値圧からオフ圧に到達するまでの時間が閾値時間以下であるかがチェックされる。計測時間が閾値時間以下である場合には、ステップＳ１１２へ進む。一方、計測時間が閾値時間以下でない場合には、ステップＳ１１３に進む。
【００６８】
ステップＳ１１２に進んだ場合、正しい環境条件で自己診断を行った結果、機械の故障や性能低下が見られないので、吐出レベルＬＥＤ３８を点灯して、自己診断に合格したことをユーザに報知する。そして、ステップＳ１１４に進む。
【００６９】
ステップＳ１１３に進んだ場合、正しい環境条件で自己診断を行った結果、機械の故障や性能低下の可能性があるので、吐出レベルＬＥＤ３８を点滅させて、自己診断に不合格であることをユーザに報知する。そして、ステップＳ１１４に進む。
ステップＳ１１４では、ステップＳ１０３において変更した充填モードを基に戻し、処理が終了する。
【００７０】
（まとめ）
以上説明したように、本実施形態によれば、圧縮機構１１による圧縮時間を基に空気圧縮機１０の状態を自己診断する自己診断手段１６０と、電源電圧、温度、タンク圧、標高、湿度を検出する環境情報検出手段２０，２１，２３，２５，２６と、を備え、前記環境情報検出手段２０，２１，２３，２５，２６は、前記自己診断手段１６０による前記自己診断の実行前に環境情報を検出する。すなわち、自己診断によってメンテナンスの必要性などを診断するに当たり、圧縮性能に影響のある環境情報を事前に検出するため、環境情報に応じて正確に自己診断を行うことができる。
【００７１】
例えば、環境情報として電源電圧を使用した場合、電源電圧が低い場合には圧縮性能が低下していても機械の故障や部品の損耗によるものではない。よって、このような場合には、圧縮性能の低下が機械の故障や部品の損耗とは別の理由で発生していることが判断できるので、余計なメンテナンスの報知を省略することができる。
【００７２】
このような構成によれば、メンテナンスの必要性などを診断するに当たり、精度の高い診断が可能となるので、適切にメンテナンス時期を報知することができる。例えば、メンテナンス時期を報せるタイミングが早過ぎて不要なメンテナンスが発生したり、メンテナンス時期を報せるタイミングが遅過ぎるために異常状態又は故障状態まで使い続けてしまうことで機械の使用ができなくなって作業が滞る上に修理コストが嵩んだり、といった問題が発生しない。
【００７３】
また、環境情報を検出することで、環境情報に問題があれば、最適な環境での使用をユーザに促すことができる。例えば、極端な性能低下を誘発する延長コードの多用や低温環境等の環境情報を検出してユーザに報せることも可能となるので、機械の故障や部品の損耗を未然に防ぐことができる。
【００７４】
また、前記自己診断手段１６０は、前記環境情報検出手段２０，２１，２３，２５，２６により検出された環境情報が所定の条件を満たしていないと判断した場合には、環境情報が所定の条件を満たしていないことを報知し、自己診断を実行しない。すなわち、環境情報が所定の条件を満たしていない場合（例えば、電源電圧が低過ぎるなど）には、圧縮性能の低下が見込まれるため、自己診断が不正確となるおそれがある。例えば、自己診断によって圧縮性能の低下が検出されても、その原因が環境条件のみによるものか、環境条件に加えて機械の故障や部品の損耗が発生しているためなのかの判断ができない場合がある。このような状態で自己診断結果を報知しても、ユーザにとって有益でない可能性があるため、環境情報が所定の条件を満たしていないと判断した場合には、環境情報が所定の条件を満たしていないことを報知し、自己診断を実行しない。そして、環境情報が所定の条件を満たしている環境で再度自己診断を行うように促すことができる。
【００７５】
なお、本実施形態においては、環境情報が所定の条件を満たしていないと判断した場合には、自己診断を実行しないこととしているが、これに限らず、環境情報が所定の条件を満たしていないことをユーザに報知した上で自己診断を実行するようにしてもよい。
【００７６】
また、本実施形態に係る自己診断手段１６０は、圧縮機構１１による圧縮時間を基に空気圧縮機１０の状態を自己診断することとしたが、これに代えて、または、これに加えて、モータ１２の消費電流値、または、モータ１２の回転数を基に、空気圧縮機１０の状態を自己診断してもよい。すなわち、圧縮機構１１による圧縮時間、モータ１２の消費電流値、モータ１２の回転数の少なくともいずれかの検出結果を基に空気圧縮機１０の状態を自己診断するようにすればよい。
なお、環境情報として部品の状態情報（たとえば圧縮機構１１の温度、モータ１２の電圧や回転数）を使用してもよい。
【符号の説明】
【００７７】
１０  空気圧縮機
１１  圧縮機構
１２  モータ
１３  エア取り出し部
１４  タンク
１５  操作パネル
２０  温度検出手段（環境情報検出手段）
２１  圧力検出手段（環境情報検出手段）
２２  電流検出手段
２３  電圧検出手段（環境情報検出手段）
２４  モータ回転数検出手段
２５  標高検出手段（環境情報検出手段）
２６  湿度検出手段（環境情報検出手段）
３０  電源スイッチ
３１  充填モード切替スイッチ
３２  運転モード切替スイッチ
３５  電源表示ＬＥＤ
３６  充填モード表示ＬＥＤ
３７  運転モード表示ＬＥＤ
３８  吐出レベルＬＥＤ
３９  表示手段
４０  報知手段
１００  制御装置
１１０  駆動制御手段
１２０  時間計測手段
１３０  記憶手段
１４０  充填モード設定手段
１５０  運転モード設定手段
１６０  自己診断手段
【図１】
2015017557.tif 000003
【図２】
2015017557.tif 000004
【図３】
2015017557.tif 000005
【図４】
2015017557.tif 000006
【図５】
2015017557.tif 000007